(57)【要約】【課題】仕切り部材によって写真収納装置に収納される写真を該写真の厚さに応じて仕切るようにして、前記写真収納装置全体の収納容量を節約して有効に使用することができるようにする。【解決手段】写真１７をプリント注文毎に収納する写真収納装置と、前記写真１７の受け渡しを行う接客口と、前記写真収納装置と接客口との間で前記写真１７を搬送する搬送装置と、前記写真収納装置内を仕切って写真を収納する移動可能な仕切り部材とを有し、前記写真１７は、前記仕切り部材によってプリント注文毎に仕切られた状態で、前記写真収納装置内に収納される。【選択図】図１
2005326588.tif 000002
【特許請求の範囲】
【請求項１】
（ａ）写真をプリント注文毎に収納する写真収納装置と、
（ｂ）前記写真の受け渡しを行う接客口と、
（ｃ）前記写真収納装置と接客口との間で前記写真を搬送する搬送装置と、
（ｄ）前記写真収納装置内を仕切って写真を収納する移動可能な仕切り部材とを有し、
（ｅ）前記写真は、前記仕切り部材によってプリント注文毎に仕切られた状態で、前記写真収納装置内に収納されることを特徴とする容量節約機能付きネットプリントステーション。
【請求項２】
前記写真は前記仕切り部材上に載置されて収納される請求項１に記載の容量節約機能付きネットプリントステーション。
【請求項３】
前記仕切り部材は前記写真の厚さに応じて前記写真収納装置内を仕切る請求項１又は２に記載の容量節約機能付きネットプリントステーション。
【請求項４】
前記仕切り部材は、定位置、収納位置及び受け渡し位置の間を移動し、前記定位置において待機し、前記収納位置において上面に前記写真を載置して収納し、前記受け渡し位置において前記搬送装置から写真を受け取る請求項１〜３のいずれか１項に記載の容量節約機能付きネットプリントステーション。
【請求項５】
前記写真が受け取りの期日を経過しても前記写真収納装置内に収納されている場合、アラームを出力する請求項１〜４のいずれか１項に記載の容量節約機能付きネットプリントステーション。
【発明の詳細な説明】
【技術分野】
【０００１】
本発明は、容量節約機能付きネットプリントステーションに関するものである。
【背景技術】
【０００２】
従来、ネットプリントシステムにおいては、デジタルカメラによって撮影された画像やパーソナルコンピュータで作成した画像の画像データを、前記パーソナルコンピュータ等の端末からインターネット等のネットワークを経由して、写真会社のホストコンピュータに送信する、すなわち、アップロードすることによってプリント注文を行うと、前記写真会社が画像を印画紙等の媒体にプリントし、顧客は写真店において、プリントされた写真を受け取ることができるネットプリントサービスが提供されている。
【０００３】
この場合、顧客は、前記端末によって前記写真会社のホームページに掲載されている、前記ネットサービスを取り扱う写真店の複数の店舗の中から、写真を受け取る店舗を選択する。そして、顧客は、プリントしたい画像データを選択し、該画像データを前記端末からインターネットを経由して、写真会社のネットワークのホストコンピュータにアップロードすることによってプリント注文を行うようになっている。
【０００４】
次に、顧客は、前記端末の表示画面に表示される注文設定画面において、写真のサイズ及び注文枚数を設定する。すると、電子メールによって注文控えとしての注文番号等が顧客の前記端末に送信される。そして、前記店舗の担当者は、デジタルカメラによって撮影された画像を印画紙等の媒体にプリントし、前記店舗が担当する無人のネットプリントステーションに写真を格納する。これにより、前記顧客は、プリントされた写真を受け取ることができる前記ネットプリントステーションに出向いて、前記注文番号を入力し、代金を投入することによって、プリントされた写真を受け取ることができるようになっている（例えば、特許文献１参照。）。
【０００５】
図２は従来のネットプリントステーションの構成を示す図である。
【０００６】
図において、１０１はネットプリントステーションとしての自動写真受け渡し装置、１０２は写真を印画紙等の媒体にプリントするためのプリンタ、１０３は該プリンタ１０２によってプリントされた写真を注文番号毎に収納するスタッカとしての複数のカセット１０４を収納する写真受け渡しユニット、１０５は前記カセット１０４を保持して移動させるためのキャリア、１０６は該キャリア１０５を上下方向に移動させるための駆動ベルト１０７を有するカセット移動装置としてのキャリア搬送部、１０８は写真が収納されたカセット１０４から写真が移送され、該写真を顧客へ受け渡すための受け渡し部としての接客部である。そして、該接客部１０８はシャッタ１０９を備えている。
【０００７】
ここで、前記プリンタ１０２、写真受け渡しユニット１０３、キャリア１０５、キャリア搬送部１０６及び接客部１０８は、前記自動写真受け渡し装置１０１内に配設されている。なお、図２（ａ）は自動写真受け渡し装置１０１の正面図、図２（ｂ）は自動写真受け渡し装置１０１の左側面図、図２（ｃ）は自動写真受け渡し装置１０１の内部構成を示す左側面透視図である。
【０００８】
そして、１１０及び１１１は顧客が写真を受け取るときに、代金としての紙幣及び硬貨を入金するための紙幣入出金機、及び、硬貨入出金機であり、１１２はキャッシュカード等のカードを読み取るカード読み取り装置である。前記紙幣入出金機１１０、硬貨入出金機１１１及びカード読み取り装置１１２は、自動写真受け渡し装置１０１の正面に配設されている。
【０００９】
また、１１３は入力手段としての表示入力兼用装置であり、自動写真受け渡し装置１０１の正面に配設されている。前記表示入力兼用装置１１３は、例えば、液晶ディスプレイから成るタッチパネル式の画面を有し、該画面には顧客に対する案内等の各種情報が表示されるとともに、前記画面に表示されたボタン等に顧客が触れることによって必要な事項を入力することができるようになっている。そして、前記表示入力兼用装置１１３を操作して、顧客のプリント注文の識別情報としての注文番号、パスワード等の情報が入力される。また、顧客が注文番号、パスワード等を入力すると、前記表示入力兼用装置１１３には、写真の料金等の情報が表示される。なお、顧客が前記表示入力兼用装置１１３を操作することによってプリント注文を入力することができるようにしてもよい。さらに、前記表示入力兼用装置１１３を表示装置と入力装置とに分離することもできる。
【００１０】
なお、以上の構成ユニットのすべては図示されない受け渡し端末の制御部によって制御されており、情報を管理する集中センタ制御部との通信を行うことができる。
【００１１】
ネットプリントシステムにおいて、顧客は、デジタルカメラによって撮影した画像の画像データを端末に入力し、該端末からネットワークを介して写真会社のホストコンピュータにアクセスする。そして、プリント注文及び画像データを、端末から前記ホストコンピュータに送信する。これにより、前記画像データが前記ホストコンピュータにアップロードされる。
【００１２】
続いて、前記ホストコンピュータは、前記顧客が希望する自動写真受け渡し装置１０１にアクセスしてステータス（動作状態）を取得して、前記自動写真受け渡し装置１０１に配設されているカセット１０４に空きがあるかどうか、すなわち、写真がセットされていないカセット１０４が存在するか否かを確認する。そして、空きがある場合、前記自動写真受け渡し装置１０１において写真の受け渡しが可能である旨のメッセージを前記端末に送信し、該端末の表示手段に表示させる。
【００１３】
続いて、前記顧客は、写真のサイズ及び注文枚数等の事項を、前記端末の入力手段を操作することによって設定する。そして、前記ホストコンピュータは、入力された前記事項を受信すると、電子メールによってプリント注文の識別情報としての注文番号及びパスワードを前記端末に返信する。
【００１４】
続いて、前記画像データは、前記ホストコンピュータから自動写真受け渡し装置１０１に送信され、前記プリンタ１０２によって、印画紙等の媒体に画像がプリントされて写真が作成される。そして、該写真は、写真受け渡しユニット１０３に収納されている空のカセット１０４内にセットされる。
【００１５】
続いて、顧客は、写真を受け取るために自動写真受け渡し装置１０１に来ると表示入力兼用装置１１３を操作して、顧客のプリント注文の識別情報としての注文番号及びパスワードを入力する。すると、自動写真受け渡し装置１０１の図示されない制御装置は入力された前記注文番号及びパスワードが正しいか否かを確認し、正しいことが確認された場合、写真の料金金額を前記表示入力兼用装置１１３に表示させる。そして、前記顧客は、表示された金額を紙幣入出金機１１０、又は、硬貨入出金機１１１から入金して、写真の料金を払い込む。なお、釣り銭がある場合、前記紙幣入出金機１１０又は硬貨入出金機１１１から釣り銭が出金される。
【００１６】
続いて、前記制御装置は、前記注文番号に対応するカセット１０４を特定する。そして、図示されない駆動装置が作動し、キャリア搬送部１０６の駆動ベルト１０７が上下方向に移動させられ、特定された前記カセット１０４に対応する位置に到達する。すると、前記キャリア１０５の図示されないカセットピックアップ部材が作動して、前記カセット１０４を写真受け取りユニット１０３から取り出す。
【００１７】
続いて、前記駆動装置が作動し、キャリア１０５が接客部１０８に対応する位置に到達する。すると、前記キャリア１０５のカセットピックアップ部材が作動して、前記カセット１０４を前記接客部１０８に挿入する。そして、前記カセット１０４に収容された写真が接客部１０８内に移送されるので、顧客は、前記接客部１０８内の写真を取り出す。これにより、写真の受け渡しが行われる。
【特許文献１】特開２００３−２１６５３３号公報
【発明の開示】
【発明が解決しようとする課題】
【００１８】
しかしながら、前記従来のネットプリントステーションにおいては、顧客がプリントを行っても、即座に自動写真受け渡し装置１０１に来ず、写真の受け渡しが行われずカセット１０４に収納する場合、受け取られなかった写真がカセット１０４内に長期間に亘（わた）り保管されたままとなってしまう。この場合、数に限りのあるカセット１０４を有効に使用することができなくなってしまう。そして、すべてのカセット１０４に写真が保管され、空いているカセット１０４がなくなると写真を収納することができなくなり、ネットプリントステーションを使用しての受け渡し業務は、どこかのカセット１０４が空くまで顧客からの新たなプリント注文を受け付けることができなくなってしまう。
【００１９】
特に、顧客がなかなか受け取りに来ない場合や、多量の注文がある場合は、カセット１０４の数に限りがあるため、カセット容量によって運用制約があった。
【００２０】
本発明は、前記従来のネットプリントステーションの問題点を解決して、仕切り部材によって写真収納装置に収納される写真を該写真の厚さに応じて仕切るようにして、前記写真収納装置全体の収納容量を節約して有効に使用することができる容量節約機能付きネットプリントステーションを提供することを目的とする。
【課題を解決するための手段】
【００２１】
そのために、本発明の容量節約機能付きネットプリントステーションにおいては、写真をプリント注文毎に収納する写真収納装置と、前記写真の受け渡しを行う接客口と、前記写真収納装置と接客口との間で前記写真を搬送する搬送装置と、前記写真収納装置内を仕切って写真を収納する移動可能な仕切り部材とを有し、前記写真は、前記仕切り部材によってプリント注文毎に仕切られた状態で、前記写真収納装置内に収納される。
【００２２】
本発明の他の容量節約機能付きネットプリントステーションにおいては、さらに、前記写真は前記仕切り部材上に載置されて収納される。
【００２３】
本発明の更に他の容量節約機能付きネットプリントステーションにおいては、さらに、前記仕切り部材は前記写真の厚さに応じて前記写真収納装置内を仕切る。
【００２４】
本発明の更に他の容量節約機能付きネットプリントステーションにおいては、さらに、前記仕切り部材は、定位置、収納位置及び受け渡し位置の間を移動し、前記定位置において待機し、前記収納位置において上面に前記写真を載置して収納し、前記受け渡し位置において前記搬送装置から写真を受け取る。
【００２５】
本発明の更に他の容量節約機能付きネットプリントステーションにおいては、さらに、前記写真が受け取りの期日を経過しても前記写真収納装置内に収納されている場合、アラームを出力する。
【発明の効果】
【００２６】
本発明によれば、仕切り部材によって写真収納装置に収納される写真を該写真の収納容量に応じて仕切るようになっている。そのため、前記写真収納装置全体の収納容量を節約して有効に使用することができる。
【発明を実施するための最良の形態】
【００２７】
以下、本発明の実施の形態について図面を参照しながら詳細に説明する。
【００２８】
図３は本発明の第１の実施の形態におけるネットプリントシステムの構成を示す図である。
【００２９】
図において、３０は本実施の形態におけるネットプリントシステムであり、３１は該ネットプリントシステム３０におけるプリントステーションシステムである。そして、該プリントステーションシステム３１は、Ｗｅｂ（ウェブ）アルバムサーバ２３ａ及びＷｅｂアルバムサーバ２３ｂに接続されている。ここで、該Ｗｅｂアルバムサーバ２３ａ及びＷｅｂアルバムサーバ２３ｂは、それぞれ、ＣＰＵ、ＭＰＵ等の演算手段、半導体メモリ、磁気ディスク等の記憶手段、ＣＲＴ、液晶ディスプレイ等の表示手段、キーボード、マウス等の入力手段、入出力インターフェイス、通信インターフェイス等を備えるコンピュータとしてのウェブサーバである。また、前記Ｗｅｂアルバムサーバ２３ａには、デジタルカメラによって撮影された画像の画像データを管理する電子的なアルバムとしてのＷｅｂアルバム等を格納する記憶手段から成るデータベース３４が接続されている。なお、該データベース３４は省略することもできる。さらに、前記Ｗｅｂアルバムサーバ２３ｂに前記データベース３４と同様のデータベースを接続することもできる。なお、Ｗｅｂアルバムサーバ２３ａ及びＷｅｂアルバムサーバ２３ｂは互いに接続されている。また、前記Ｗｅｂアルバムサーバ２３ａとＷｅｂアルバムサーバ２３ｂとは同一のものであってもよい。本実施の形態において、Ｗｅｂアルバムサーバ２３ａ及びＷｅｂアルバムサーバ２３ｂを統合的に説明する場合には、Ｗｅｂアルバムサーバ２３として説明する。
【００３０】
そして、前記Ｗｅｂアルバムサーバ２３ａには、ネットワーク２６ａを介して、顧客が操作する端末としての操作端末２４ａ及び操作端末２４ｂが通信可能に接続されている。ここで、顧客は、通常、個人であるが、企業、団体等であってもよい。そして、前記操作端末２４ａ及び操作端末２４ｂは、顧客が操作するために、該顧客の家庭、職場等に配設され、前記ネットワーク２６ａに通信可能に接続されている。この場合、前記操作端末２４ａ及び操作端末２４ｂは、ＣＰＵ、ＭＰＵ等の演算手段、半導体メモリ、磁気ディスク等の記憶手段、ＣＲＴ、液晶ディスプレイ等の表示手段、キーボード、マウス等の入力手段、入出力インターフェイス、通信インターフェイス等を備えるものである。なお、前記操作端末２４ａ及び操作端末２４ｂは、例えば、パーソナルコンピュータ等であるが、ゲーム機、デジタルテレビ等、いかなる形態のものであってもよい。また、前記操作端末２４ａ及び操作端末２４ｂは、単数であってもよいし、三つ以上であってもよいし、いくつであってもよい。本実施の形態において、操作端末２４ａ及び操作端末２４ｂを統合的に説明する場合には、操作端末２４として説明する。
【００３１】
そして、前記操作端末２４ａ及び操作端末２４ｂには、図示されないデジタルカメラが接続され、該デジタルカメラによって撮影された画像の画像データが操作端末２４ａ及び操作端末２４ｂに送信されるようになっている。ここで、前記デジタルカメラは、ＣＣＤ（Ｃｈａｒｇｅ  Ｃｏｕｐｌｅｄ  Ｄｅｖｉｃｅ）等の撮像手段、半導体メモリ等の記憶手段、通信インターフェイス等を備え、撮影した画像を電子データの形態で出力することができるものであれば、いかなる形態のものであってもよい。なお、前記デジタルカメラは、前記操作端末２４ａ及び操作端末２４ｂに内蔵された形態のものであってもよい。また、前記デジタルカメラは、ＰＣカード、メモリカード、棒状メモリ、ＭＯ、ＭＤ、ＣＤ−ＲＯＭ、磁気テープ、磁気ディスク等の取り外し可能な記憶媒体を備え、該記憶媒体に前記画像データを格納することができるものであることが望ましい。この場合、前記デジタルカメラは、必ずしも前記操作端末２４ａ及び操作端末２４ｂに接続される必要がなく、前記記憶媒体をデジタルカメラから操作端末２４ａ及び操作端末２４ｂに移し替えることによって、デジタルカメラによって撮影された画像の画像データを操作端末２４ａ及び操作端末２４ｂに入力することができる。
【００３２】
これにより、顧客は、デジタルカメラによって撮影された画像をプリントして写真を作成する旨を注文するプリント注文、及び、前記画像データを、前記操作端末２４ａ及び操作端末２４ｂからプリントステーションシステム３１に対して送信することができる。なお、前記プリント注文には、顧客が希望する写真の受け渡し場所として、後述される自動写真受け渡し装置１１の配設場所に関する情報が含まれていてもよい。そして、前記操作端末２４ａ及び操作端末２４ｂから送信されたプリント注文及び画像データは、ネットワーク２６ａ及びＷｅｂアルバムサーバ２３ａを介して、プリントステーションシステム３１に送信される。また、前記操作端末２４ａ及び操作端末２４ｂから送信された画像データは、Ｗｅｂアルバムサーバ２３ａ又はデータベース３４内に構築されたＷｅｂアルバムに格納され管理されるようにしてもよい。
【００３３】
また、前記Ｗｅｂアルバムサーバ２３ｂには、ネットワーク２６ｂを介して、顧客が操作する端末としての移動通信端末２５ａ及び移動通信端末２５ｂが通信可能に接続されている。ここで、顧客は、前記操作端末２４ａ及び操作端末２４ｂを操作する顧客と同一の者であってもよい。そして、顧客は、前記移動通信端末２５ａ及び移動通信端末２５ｂを携帯して移動する。この場合、該移動通信端末２５ａ及び移動通信端末２５ｂは、ＣＰＵ、ＭＰＵ等の演算手段、半導体メモリ、磁気ディスク等の記憶手段、ＣＲＴ、液晶ディスプレイ等の表示手段、キーボード、タッチパネル等の入力手段、通信インターフェイス等を備えるものである。なお、前記移動通信端末２５ａ及び移動通信端末２５ｂは、例えば、携帯電話機、ＰＨＳ（Ｐｅｒｓｏｎａｌ  Ｈａｎｄｙ−Ｐｈｏｎｅ  Ｓｙｓｔｅｍ）電話機等であるが、電子手帳、ＰＤＡ（Ｐｅｒｓｏｎａｌ  Ｄｉｇｉｔａｌ  Ａｓｓｉｓｔａｎｔ）、ゲーム機等、いかなる形態のものであってもよい。また、前記移動通信端末２５ａ及び移動通信端末２５ｂは、単数であってもよいし、三つ以上であってもよいし、いくつであってもよい。本実施の形態において、移動通信端末２５ａ及び移動通信端末２５ｂを統合的に説明する場合には、移動通信端末２５として説明する。
【００３４】
そして、前記移動通信端末２５ａ及び移動通信端末２５ｂには、図示されないデジタルカメラが接続され、該デジタルカメラによって撮影された画像の画像データが移動通信端末２５ａ及び移動通信端末２５ｂに送信されるようになっている。なお、前記デジタルカメラは前記移動通信端末２５ａ及び移動通信端末２５ｂに内蔵された形態のものであってもよい。また、前記デジタルカメラが取り外し可能な記憶媒体を備え、該記憶媒体に前記画像データを格納することができるものであり、かつ、前記移動通信端末２５ａ及び移動通信端末２５ｂが前記記憶媒体を収容可能なものである場合、前記デジタルカメラは、必ずしも前記移動通信端末２５ａ及び移動通信端末２５ｂに接続される必要がなく、前記記憶媒体をデジタルカメラから移動通信端末２５ａ及び移動通信端末２５ｂに移し替えることによって、デジタルカメラによって撮影された画像の画像データを移動通信端末２５ａ及び移動通信端末２５ｂに入力することができる。
【００３５】
これにより、顧客は、デジタルカメラによって撮影された画像をプリントして写真を作成する旨を注文するプリント注文、及び、前記画像データを、前記移動通信端末２５ａ及び移動通信端末２５ｂからプリントステーションシステム３１に対して送信することができる。なお、前記プリント注文には、顧客が希望する写真の受け渡し場所として、後述される自動写真受け渡し装置１１の配設場所に関する情報が含まれていてもよい。そして、前記移動通信端末２５ａ及び移動通信端末２５ｂから送信された画像データは、ネットワーク２６ｂ及びＷｅｂアルバムサーバ２３ｂを介して、プリントステーションシステム３１に送信される。また、前記移動通信端末２５ａ及び移動通信端末２５ｂから送信された画像データは、Ｗｅｂアルバムサーバ２３ｂ内に構築されたＷｅｂアルバムに格納され管理されるようにしてもよい。
【００３６】
また、前記ネットワーク２６ａは、インターネット、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、無線又は有線の専用電話回線網又は公衆電話回線網、無線又は有線の専用通信回線網又は公衆通信回線網等のいかなるものであってもよく、これらの中の複数を組み合わせたもの、例えば、インターネットと公衆電話回線網とを組み合わせたもの、ＬＡＮと専用通信回線網とを組み合わせたもの等であってもよい。
【００３７】
そして、前記ネットワーク２６ｂは、例えば、携帯電話回線網、ＰＨＳ電話回線網等の移動通信体ネットワークであるが、他の回線網、例えば、インターネット、公衆電話回線網、ＬＡＮ、専用通信回線網等と組み合わせたもの等であってもよい。また、前記ネットワーク２６ａ及びネットワーク２６ｂは、いくつであってもよいし、前記ネットワーク２６ａとネットワーク２６ｂとは同一のものであってもよい。本実施の形態において、ネットワーク２６ａ及びネットワーク２６ｂを統合的に説明する場合には、ネットワーク２６として説明する。
【００３８】
また、前記プリントステーションシステム３１は、プリントサーバ３２、プリントデータベース３３、並びに、ネットプリントステーションとしての自動写真受け渡し装置１１ａ、自動写真受け渡し装置１１ｂ及び自動写真受け渡し装置１１ｃを有する。ここで、プリントサーバ３２は、ＣＰＵ、ＭＰＵ等の演算手段、半導体メモリ、磁気ディスク等の記憶手段、ＣＲＴ、液晶ディスプレイ等の表示手段、キーボード、マウス等の入力手段、入出力インターフェイス、通信インターフェイス等を備えるコンピュータとしてのサーバである。そして、前記プリントサーバ３２は、操作端末２４及び移動通信端末２５からネットワーク２６及びＷｅｂアルバムサーバ２３を介して送信された画像データを受信すると、該画像データを選択的に自動写真受け渡し装置１１ａ、自動写真受け渡し装置１１ｂ及び自動写真受け渡し装置１１ｃに送信する。なお、プリントデータベース３３は、磁気ディスク、ＤＶＤ−ＲＡＭ、ＣＤ−Ｒ等の比較的大容量の記憶手段を備え、前記プリントサーバ３２が受信した画像データを格納する。なお、前記プリントデータベース３３は、プリントサーバ３２と一体的に形成されていてもよい、すなわち、プリントサーバ３２に内蔵されたものであってもよい。また、自動写真受け渡し装置１１ａ、自動写真受け渡し装置１１ｂ及び自動写真受け渡し装置１１ｃは、単数であってもよいし、二つであってもよいし、四つ以上であってもよいし、いくつであってもよい。本実施の形態において、自動写真受け渡し装置１１ａ、自動写真受け渡し装置１１ｂ及び自動写真受け渡し装置１１ｃを統合的に説明する場合には、自動写真受け渡し装置１１として説明する。
【００３９】
ここで、前記プリントサーバ３２は、顧客の操作端末２４及び移動通信端末２５から送信されたプリント注文及び画像データを受信することによって受け付け、前記自動写真受け渡し装置１１に送信することができる。ここで、前記操作端末２４及び移動通信端末２５から、顧客が希望する自動写真受け渡し装置１１の配設場所に関する情報が送信された場合、該情報に該当する自動写真受け渡し装置１１に前記プリント注文及び画像データが送信される。そして、前記プリントサーバ３２からは、前記自動写真受け渡し装置１１を特定する情報、例えば、配設場所を示す住所や地図等が、電子メール、該電子メールの添付ファイル等の形態で、前記操作端末２４及び移動通信端末２５に返信される。また、前記プリントサーバ３２は、自動写真受け渡し装置１１にアクセスして、該自動写真受け渡し装置１１のステータスを適宜取得することができるようになっている。
【００４０】
次に、自動写真受け渡し装置１１の構成について説明する。
【００４１】
図１は本発明の第１の実施の形態における自動写真受け渡し装置の詳細な構成を示す図である。
【００４２】
なお、本実施の形態において、自動写真受け渡し装置１１の外観は、前記「背景技術」において説明したものと同様であるので、図２（ａ）及び前記「背景技術」における説明を援用することによって、その説明を省略する。すなわち、前記自動写真受け渡し装置１１は、従来の自動写真受け渡し装置１０１と同様に、シャッタ１０９、紙幣入出金機１１０、硬貨入出金機１１１、カード読み取り装置１１２及び表示入力兼用装置１１３を有するものとする。
【００４３】
そして、前記自動写真受け渡し装置１１は、図１に示されるように、写真１７をプリント注文毎に仕切るための移動可能な仕切り部材としての仕切り板１３を備えた、プリントされた写真１７をプリント注文毎に収納する写真収納装置としての写真受け渡しユニット１２を有している。前記仕切り板１３の各々は、図示されない駆動装置によって、選択的に前後方向（図１における左右方向）に移動させられる。これにより、前記仕切り板１３の各々は、定位置、収納位置及び受け渡し位置の間を移動し、前記定位置において待機し、前記収納位置において上面に写真１７を載置して収納し、前記受け渡し位置において写真１７を受け取るようになっている。
【００４４】
また、前記写真受け渡しユニット１２の前方（図１における左方）には、写真１７を収容して移動させるための搬送装置としてのキャリア１５、及び、該キャリア１５を上下方向に移動させるための駆動ベルト１６を有する写真移動装置としてのキャリア搬送部１４が配設されている。ここで、前記キャリア１５は、図示されない駆動装置によって開閉させられる底板部材を備え、該底板部材を閉止した状態で写真１７を収容して搬送し、前記底板部材を開放して前記写真１７を落下させて取り出し、下方に位置する仕切り板１３上に移載するようになっている。そして、前記キャリア１５は、図示されない駆動源によって回転させられる駆動ベルト１６に取り付けられているので、該駆動ベルト１６が回転させられると、上下方向に移動させられるようになっている。これにより、前記キャリア１５は、上下方向に整列して収納されている多数の仕切り板１３の中から指定された仕切り板１３に対応する受け渡し位置に移動させられ、前記仕切り板１３との間で写真１７の受け渡しを行うことができる。
【００４５】
ここで、前記写真受け渡しユニット１２、仕切り板１３、キャリア搬送部１４及びキャリア１５は、前記自動写真受け渡し装置１１内に配設されている。そして、図１に示すように、本実施の形態における自動写真受け渡し装置１１は、容量節約機能付きであり、写真１７をプリント注文毎に収納するスタッカとしてのカセットを備えていない。すなわち、前記自動写真受け渡し装置１１は、写真受け渡しユニット１２内を仕切り板１３によって仕切ることにより、前記写真１７を収納するスペースを作るようになっている。
【００４６】
これにより、従来のようにカセットを使用することなく写真１７を収納することが可能となる。従来は、顧客によって注文された写真１７の枚数が一枚のみの場合でも、一つのカセットに収容するようになっていため、収納容量としてカセット分の容量が必要であった。そして、写真受け渡しユニット１２の高さも限られているため、カセット数の注文のみしか受け付けることができなかった。
【００４７】
これに対し、本実施の形態における自動写真受け渡し装置１１は、図１に示されるように、写真１７の厚さに合わせて仕切り板１３を出すようにしている。そのため、写真１７の枚数が多く、厚さが厚い場合には、仕切り板１３と仕切り板１３との間隔を広くし、写真の枚数が少なく、厚さが厚くない場合には、仕切り板１３と仕切り板１３との間隔を狭くすることができる。これにより、前記写真受け渡しユニット１２内の収納容量を効率的に使用することができる。
【００４８】
なお、前記自動写真受け渡し装置１１は、図示されない制御装置を有する。該制御装置は、ＣＰＵ、ＭＰＵ等の演算手段、半導体メモリ、磁気ディスク等の記憶手段、入出力インターフェイス、通信インターフェイス等を備えるコンピュータであり、前記写真受け渡しユニット１２、仕切り板１３、キャリア１５、キャリア搬送部１４等の動作を含め、自動写真受け渡し装置１１の動作を統括的に制御する。
【００４９】
次に、前記構成の自動写真受け渡し装置１１の動作について説明する。
【００５０】
図４は本発明の第１の実施の形態における自動写真受け渡し装置の動作を示す第１の図、図５は本発明の第１の実施の形態における自動写真受け渡し装置の動作を示す第２の図、図６は本発明の第１の実施の形態における自動写真受け渡し装置の動作を示す第３の図、図７は本発明の第１の実施の形態における自動写真受け渡し装置の動作を示す第４の図である。
【００５１】
まず、顧客が操作端末２４又は移動通信端末２５を操作して、デジタルカメラによって撮影した画像の画像データのプリントを注文し、顧客が希望する写真の受け渡し場所として自動写真受け渡し装置１１を指定した場合、店員はプリントされた写真１７を前記自動写真受け渡し装置１１内にセットし、顧客がいつでも前記写真１７を受け取れるように準備する。
【００５２】
この場合、店員は顧客の注文によってプリントした写真１７を自動写真受け渡し装置１１内にセットするために、表示入力兼用装置１１３の写真収納メニューの画面を表示させる。そして、該画面にて写真１７の枚数を選択ボタン等によって選択し、接客口に写真１７をセットする。
【００５３】
続いて、該写真１７がセットされると、前記自動写真受け渡し装置１１の制御装置は、前記写真１７が収納可能なスペースを判断し、図４において点線の矢印で示されるように、前記写真１７を収容するキャリア１５を受け渡し位置における収納可能な位置まで移動させる。該キャリア１５が収納可能な位置まで移動した後、太線の矢印で示されるように、仕切り板１３が定位置から受け渡し位置まで移動させられ、前記キャリア１５の下方に到達する。
【００５４】
続いて、図５に示されるように、キャリア１５の底板部材が開放し、前記写真１７を落下させてキャリア１５から取り出し、下方に位置する仕切り板１３上に移載する。これにより、前記写真１７がキャリア１５から仕切り板１３に受け渡される。続いて、図６に示されるように、キャリア１５の底板部材は閉止し、また、前記写真１７を載置する仕切り板１３は、太線の矢印で示されるように、受け渡し位置から収納位置まで移動させられる。これにより、写真１７が仕切り板１３上に載置されて収納され、自動写真受け取り装置１１の写真受け渡しユニット１２内にセットされる。
【００５５】
次に、顧客に写真１７を渡す動作について説明する。
【００５６】
まず、顧客が自動写真受け取り装置１１に来ると、表示入力兼用装置１１３を操作して、注文番号とパスワードとを入力する。続いて、自動写真受け取り装置１１の制御装置は入力されたデータが正しいか否かを判定し、正しい場合は写真１７の料金金額を表示入力兼用装置１１３に表示させる。そして、前記顧客は、表示された金額を紙幣入出金機１１０又は硬貨入出金機１１１から入金して、写真１７の料金を払い込む。すると、前記制御装置が払い込まれた金額を確認する。なお、釣り銭がある場合、前記紙幣入出機１１０又は硬貨入出機１１１から釣り銭が出金される。
【００５７】
続いて、前記制御装置は、前記注文番号に対応する仕切り板１３を特定する。そして、図７に示されるように、駆動ベルト１６が回転し、キャリア１５が受け渡し位置において上下方向に移動させられ、特定された仕切り板１３に対応する高さに到達する。すると、収納位置において特定された仕切り板１３と該仕切り板１３の直上において他の写真１７を載置する仕切り板１３との間の高さ範囲に対応する仕切り板１３が、太線の矢印で示されるように、定位置から収納位置に移動させられる。そのため、定位置から収納位置に移動した仕切り板１３によって、特定された仕切り板１３上に載置された写真１７が受け渡し位置の方向に押し出され、前記特定された仕切り板１３から落下し、キャリア１５内に移載される。そして、前記写真１７を収容したキャリア１５は、点線の矢印で示されるように、接客口へ移動させられ、顧客への前記写真１７の受け渡しが行われる。なお、顧客が前記写真１７を受け取ると、前記特定された仕切り板１３、及び、定位置から収納位置に移動して写真１７を押し出した仕切り板１３は、定位置へ戻る。これにより、自動写真受け取り装置１１の写真受け渡しユニット１２内に収納された写真１７を顧客に渡すことができる。
【００５８】
このように、本実施の形態においては、仕切り板１３によって写真受け渡しユニット１２に収納される写真１７を該写真１７の厚さに応じて仕切るようになっている。そのため、自動写真受け取り装置１１の扉を開け、写真１７をカセットに入れ、該カセットをセットするということを行う必要がない。そして、接客口から写真受け渡しユニット１２内に写真１７をセットすることができる。また、写真１７の厚さによって、収納位置において上下方向に隣接する仕切り板１３の間隔を変え、該間隔を写真１７の厚さに応じた寸法にすることができる。そのため、前記写真受け渡しユニット１２内の収納容量を効率的に使用することができ、多数の写真１７を収納することができる。
【００５９】
また、多数の写真１７を収納可能とすることで、より多くの顧客から多数の注文を受け付けることができる。
【００６０】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００６１】
顧客がプリントを注文し、自動写真受け渡し装置１１での受け取りを希望したにも関わらず、なかなか取りに来ない場合、仕切り板１３によって収納スペースを調整し有効活用させても写真受け渡しユニット１２の収納可能容量には限界がある。そこで、本実施の形態においては、顧客が決められた日数を過ぎても写真１７を受け取りに来ない場合、顧客が注文し、受け取りを希望した写真１７を店員がタッチパネル操作によって自動写真受け取り装置１１から取り出し、店内にて保管するようにする。
【００６２】
なお、前記自動写真受け取り装置１１の構造については第１の実施の形態と同様であるので、説明を省略する。
【００６３】
次に、本実施の形態における自動写真受け渡し装置１１の動作について説明する。
【００６４】
図８は本発明の第２の実施の形態における自動写真受け渡し装置の動作を示すフローチャートである。
【００６５】
まず、店員が自動写真受け渡し装置１１に写真１７をセットするために、表示入力兼用装置１１３の画面を店員専用の保守画面に切り替えたとき、自動写真受け渡し装置１１の制御装置は、設定によって決められた日数が過ぎても受け取りに来ない顧客の写真１７があるか否か、すなわち、期日過ぎの写真１７があるか否かを判断する。そして、設定によって決められた日数が過ぎても受け取りに来ない写真１７がある場合、すなわち、受け取りの期日を経過しても写真１７が写真受け渡しユニット１２内に収納されている場合、アラームを出力することによって店員に知らせるようになっている。
【００６６】
すると、店員は前記写真１７を回収するか否か、すなわち、写真１７を取り出すか否かを判断し、写真１７を回収する場合は、自動写真受け渡し装置１１から写真１７を取り出すことができる。そして、該写真１７が取り出されると、顧客が操作端末２４又は移動通信端末２５を操作して注文した写真１７であるか否か、すなわち、前記操作端末２４又は移動通信端末２５のアドレスが登録されている否かが判断される。そして、アドレスが登録されている場合には、写真１７が回収され、店頭にて保管されていること、すなわち、写真１７を取り出したことを電子メールによって顧客に連絡する。
【００６７】
続いて、店員が前記自動写真受け渡し装置１１に新規の写真１７をセットして、作業を終了する。
【００６８】
次に、フローチャートについて説明する。
ステップＳ１  保守画面に切り替える。
ステップＳ２  期日過ぎの写真１７があるか否かを判断する。期日過ぎの写真１７がある場合はステップＳ３に進み、期日過ぎの写真１７がない場合はステップＳ６に進む。
ステップＳ３  写真１７を取り出すか否かを判断を判断する。写真１７を取り出す場合はステップＳ４に進み、写真１７を取り出さない場合はステップＳ６に進む。
ステップＳ４  操作端末２４又は移動通信端末２５のアドレスが登録されている否かを判断する。操作端末２４又は移動通信端末２５のアドレスが登録されている場合はステップＳ５に進み、操作端末２４又は移動通信端末２５のアドレスが登録されていない場合はステップＳ６に進む。
ステップＳ５  写真１７を取り出したことを電子メールによって顧客に連絡する。
ステップＳ６  新規の写真１７をセットし、作業を終了する。
【００６９】
このように、本実施の形態においては、顧客が決められた日数を過ぎても写真１７を受け取りに来ない場合、前記写真１７を自動写真受け取り装置１１から取り出すようになっている。そのため、取りに来ない顧客の写真１７が、自動写真受け取り装置１１内にいつまでも残ったままになることがなくなり、写真受け渡しユニット１２内の収納可能なスペースを増やすことができる。
【００７０】
これにより、収納スペース不足に起因する注文のキャンセルが減少し、より多くの注文を受け付けることができる。
【００７１】
なお、本発明は前記実施の形態に限定されるものではなく、本発明の趣旨に基づいて種々変形させることが可能であり、それらを本発明の範囲から排除するものではない。
【図面の簡単な説明】
【００７２】
【図１】本発明の第１の実施の形態における自動写真受け渡し装置の詳細な構成を示す図である。
【図２】従来のネットプリントステーションの構成を示す図である。
【図３】本発明の第１の実施の形態におけるネットプリントシステムの構成を示す図である。
【図４】本発明の第１の実施の形態における自動写真受け渡し装置の動作を示す第１の図である。
【図５】本発明の第１の実施の形態における自動写真受け渡し装置の動作を示す第２の図である。
【図６】本発明の第１の実施の形態における自動写真受け渡し装置の動作を示す第３の図である。
【図７】本発明の第１の実施の形態における自動写真受け渡し装置の動作を示す第４の図である。
【図８】本発明の第２の実施の形態における自動写真受け渡し装置の動作を示すフローチャートである。
【符号の説明】
【００７３】
１１、１１ａ、１１ｂ、１１ｃ    自動写真受け渡し装置
１２    写真受け渡しユニット
１３    仕切り板
１５    キャリア
１７    写真
【図１】
2005326588.tif 000003
【図２】
2005326588.tif 000004
【図３】
2005326588.tif 000005
【図４】
2005326588.tif 000006
【図５】
2005326588.tif 000007
【図６】
2005326588.tif 000008
【図７】
2005326588.tif 000009
【図８】
2005326588.tif 000010